(57)【要約】【課題】ベーキング装置において、炉本体内での温度ムラの解消を図り、被処理物品に対して高品質且つ均一なベーキング処理を可能にする。また装置としての構造面での大型化及び複雑化を防止し、設置の容易化及び低廉化を可能にする。【解決手段】旋回軸１５まわりに複数の棚部１６が設けられた旋回棚３と、この旋回棚３の旋回駆動手段２と、旋回棚３を取り囲む炉本体４と、この炉本体４内を加熱する加熱手段５と、炉本体４に対して被処理物品Ｗを出し入れする物品受け渡し装置１０とを有している。【選択図】図１
2005226879.tif 000002
【特許請求の範囲】
【請求項１】
旋回軸（１５）を中心にそのまわりに複数の棚部（１６）が設けられている旋回棚（３）と、この旋回棚（３）を旋回自在に保持させた状態で旋回用の動力を伝える旋回駆動手段（２）と、旋回棚（３）が旋回可能なスペースを確保しつつこの旋回棚（３）まわりを取り囲むと共に周方向の少なくとも一箇所に旋回棚（３）に対する物品出し入れ用の開口部（７）が設けられた炉本体（４）と、この炉本体（４）内を加熱する加熱手段（５）と、上記炉本体（４）内でその開口部（７）に正対して停止される旋回棚（３）の各棚部（１６）に対して炉外側から個々に被処理物品（Ｗ）を出し入れする物品受け渡し装置（１０）とを有していることを特徴とするベーキング装置。
【請求項２】
前記旋回棚（３）には周方向で隣接する棚部（１６）相互間を仕切る仕切り壁（１７）が設けられていることを特徴とする請求項１記載のベーキング装置。
【請求項３】
前記炉本体（４）の開口部（７）は旋回棚（３）において周方向で隣接する一組の仕切り壁（１７）相互間に対応する開口幅で形成されており、この開口部（７）の幅方向両側には炉本体（４）内で当該開口部（７）に正対して停止される旋回棚（３）の各仕切り壁（１７）の壁端との間で熱気の流通を防止する遮熱手段（３０）が設けられていることを特徴とする請求項２記載のベーキング装置。
【請求項４】
前記遮熱手段（３０）は耐熱性及び可撓性を有するブレード（５０）によって形成されていることを特徴とする請求項３記載のベーキング装置。
【請求項５】
前記旋回棚（３）の各棚部（１６）は、被処理物品（Ｗ）の支承状態にあるときも当該被処理物品（Ｗ）の外面に沿って上下方向の通気を可能とさせる通気性構造とされていることを特徴とする請求項１乃至請求項４のいずれかに記載のベーキング装置。
【請求項６】
前記加熱手段（５）には、少なくとも炉本体（４）の開口部（７）正対位置で停止した棚部（１６）を除いて他の棚部（１６）の停止位置下方から上方へ向けて熱風を噴出する熱風噴出部（２４）が設けられていることを特徴とする請求項５記載のベーキング装置。
【請求項７】
前記旋回棚（３）は、各棚部（１６）が被処理物品（Ｗ）の高さ寸法より高背な物品支承スペースを介して上下に複数段設けられており、周方向で隣接する棚部（１６）相互間を仕切る仕切り壁（１７）が上下方向の各棚部（１６）に対応して一連に繋がったものとされていることを特徴とする請求項２乃至請求項６のいずれかに記載のベーキング装置。
【発明の詳細な説明】
【技術分野】
【０００１】
本発明は、メッキ処理後にベーキング処理を実施するうえで採用可能なベーキング装置に関するものである。
【背景技術】
【０００２】
ボルトやナットなど、高炭素鋼によって製作された物品に亜鉛メッキなどの表面処理を施す場合では、酸洗い工程やメッキ工程で水素の収蔵が起こり、この収蔵された水素をそのままにしておくと物品に脆性が現れるため、表面処理後の物品を可及的速やかにベーキング処理（加熱処理）して、収蔵された水素を追い出すようにするのが一般的である。このような場合に使用するベーキング装置にはバッチ式のものや連続式のものがある。
このうち、連続式のベーキング装置としてメッキ工程を終えてバレルからバスケットへと移し換えられた被処理物品（ボルトなどの物品）を、このバスケットごとコンベヤで炉本体の内部へ搬入し、所定の処理時間（２００℃以上で４〜５時間程度）を経た後に炉本体から搬出するというものが知られている（例えば、特許文献１や２等参照）。この種の連続式ベーキング装置では、炉本体に対してバスケットを搬入したり搬出したりするための開口部に機械的に開閉するシャッターが設けられており、炉本体内の熱が外部へ逃げるのを防止している。機械的に開閉するシャッターの他、エアーカーテンを用いるものもあった。
【０００３】
なお、これらの連続式ベーキング装置では、炉本体内でのバスケットの滞留時間を確保しつつ処理能率を高めるため種々の構成が採用されている。例えば、上下多段構造とされた２基のターンテーブルを所定間隔で設置し、それらの間に各段ごとに一段ズラシ（傾斜）状態で往路用及び復路用のローラコンベアを架設し、両ターンテーブル間に対してバスケットを最上段から順次下方段へと押せ押せ状態で螺旋状に搬送してゆく方式（特許文献１）や、直線型にした炉本体内に対し、バスケットを多数段に直積みさせた状態で搬送させる方式（特許文献２）がある。
【特許文献１】実公平２−６３１号公報
【特許文献２】特許第２５７６９６６号公報
【発明の開示】
【発明が解決しようとする課題】
【０００４】
従来の連続式ベーキング装置において２基のターンテーブルを設置するもの（特許文献１）では、構造の複雑化や大型化を免れることはできず、敷地面積の限られたメッキ工場内では、設置できないことが少なくないという問題があった。また２基のターンテーブルやそれらの間に架設されるローラコンベアを取り囲む必用から炉本体が長大となるため、この炉本体内で温度ムラが起こりやすいということがあった。温度ムラは被処理物品の品質に直接影響を及ぼすため、看過できない重大問題に繋がる。
一方、複数のバスケットを直積みするもの（特許文献２）では、バスケットがパンチングメタルによって製作された（外面に通気孔が多数設けられている）構造であるとしても、最も熱気の出入り口として活用できる筈のバスケットの上部開口（被処理物品の出し入れ口）が段積みされるバスケットによって塞がれてしまうため、この上部開口を介しての熱気の流入が阻まれ、結果として被処理物品によっては加熱不足が起こって、やはり温度ムラの原因となるということがあった。
【０００５】
のみならず、これら従来の連続式ベーキング装置において、炉本体のバスケット搬入搬出用開口部に対し、機械的に開閉するシャッターを設けた場合には、構造的に複雑なものとなり、それによる装置コストの高騰化が避けられなかった。またこのシャッターの開閉に伴う時間的ロスや熱エネルギーの漏洩ロスなども大きな問題となっていた。
これに対し、シャッターをエアカーテン方式に置換した場合には、言うまでもなく、エアーカーテン自体でバスケットを搬入・搬出する開口部を閉鎖させなければならないため、エアー噴出圧を相当に高圧とせざるを得ず、このため噴出エアーによって炉内温度を低下させてしまうといった問題を招来することもあった。
【０００６】
本発明は、上記事情に鑑みてなされたものであって、炉本体内での温度ムラの解消を図り、被処理物品に対して高品質且つ均一なベーキング処理を可能にすると共に、装置としての構造面での大型化及び複雑化を防止して、設置の容易化及び低廉化を可能にすることができるベーキング装置を提供することを目的とする。
また本発明は、炉本体に対する被処理物品（バスケットに入った状態を含む）の搬入及び搬出に関して、時間的ロス及び熱エネルギーの漏洩ロスを防止できるようにしたベーキング装置を提供することを目的とする。
【課題を解決するための手段】
【０００７】
前記目的を達成するために、本発明は次の手段を講じた。
即ち、本発明に係るベーキング装置は、旋回軸を中心にそのまわりに複数の棚部が設けられている旋回棚と、この旋回棚を旋回自在に保持させた状態で旋回用の動力を伝える旋回駆動手段と、旋回棚が旋回可能なスペースを確保しつつこの旋回棚まわりを取り囲むと共に周方向の少なくとも一箇所に旋回棚に対する物品出し入れ用の開口部が設けられた炉本体と、この炉本体内を加熱する加熱手段と、上記炉本体の開口部に正対して停止される旋回棚の各棚部に対して個々に被処理物品を出し入れする物品受け渡し装置とを有している。
【０００８】
このような構成を具備する本発明に係るベーキング装置においてその作動状況の一例を挙げると、旋回駆動手段は、旋回棚を所定角度だけ旋回させることでその周方向に設けられた棚部を順々に炉本体の開口部に正対して停止させ、その後、また旋回棚を所定角度だけ旋回させて各棚部と開口部との正対及び停止を繰り返させるという間欠的な動きをすることになる。そして物品受け渡し装置は、この旋回棚の停止時間を利用して稼働する（被処理物品の出し入れをする）ことになる。
そのため、旋回棚に対してそのまわりを取り囲むかたちで炉本体を形成させることで、この炉本体の大型化を抑制する構成としても、旋回棚の各棚部上に載せられた被処理物品について炉本体内での滞留時間を十分に確保することができる。すなわち、わざわざターンテーブルを２基設定したり、これらの間にローラコンベアを架設したりするといったことをしなくてもよい。
【０００９】
旋回棚には、その周方向において隣接する棚部相互間を仕切るように、仕切り壁を設けておくことができる。
またこの場合、炉本体の開口部は旋回棚において隣接する一組の仕切り壁相互間に対応する開口幅で形成しておけばよい。そしてこの開口部の幅方向両側に対し、炉本体内で当該開口部に正対して停止される旋回棚の各仕切り壁の壁端との間で熱気の流通を防止させるようにする遮熱手段を設けておく。
このような仕切り壁を設けることで、旋回棚においてその周方向で隣接する棚部上の被処理物品に対し、熱気の横流動を抑えて変動しにくくでき、温度分布を均一化させることに有益となる。また棚部の一つを炉本体の開口部に正対して停止させた場合（物品受け渡し装置による被処理物品の出し入れを行わせている場合）、この開口部から炉本体内の熱気を逃げ難くできる。
【００１０】
加えて、開口部の幅方向両側に設ける遮熱手段は、旋回棚側の仕切り壁が間近になるため、仮にエアーカーテンを採用するとしても小型で低圧のものでよくなり、結果として構造の簡潔化が図れると共に炉内温度の低下を防止できる利点がある。
なお、この遮熱手段は耐熱性及び可撓性を有するブレードによって形成することも可能となり、装置コストとして究極のコストダウンが図れる。
旋回棚の各棚部は、被処理物品の支承状態にあるときも、この被処理物品の外面に沿って上下方向の通気を可能とさせる通気性構造としておくのが好適である。
【００１１】
このようにすることで、加熱手段は、炉本体内において旋回棚の下方（又は上方）から熱気を縦に送って棚部上の被処理物品へ吹き付けさせるように構成することができる。好ましくは、旋回棚の棚部が停止した位置の下方から上方へ向けて熱風を噴出する熱風噴出部を設けるようにすればよい。なお、この場合、少なくとも炉本体の開口部に正対する位置で停止した棚部に関しては熱気を送る必要がないので、この位置での熱風噴出部の設置は除くのがよい。
このような加熱手段であれば構造的な簡潔化が図れ、炉本体の大型化を抑制するうえでも好適なものと言える。また熱気の供給方法としても、炉本体内での温度分布を均一にさせるうえで有益なものと言うことができる。
【００１２】
旋回棚は各棚部が上下に複数段設けられたものとするのが好適である。このようにすると、炉本体内へ搬入する被処理物品の量を一気に多くでき、装置としての稼働効率（処理能率）を飛躍的に高めることができる。またこの場合、旋回棚において上下複数段にする棚部の上下間隔は、被処理物品の高さ寸法より高背な物品支承スペースを介したものとするのが好適である。このようにすると、これらの各棚部に対してそれぞれ被処理物品を載せたときにはその全周面を熱気に晒すことができるものとなる。
そのため、被処理物品の外形がバスケットによって形成されているものとすると、このバスケット相互を直接段積みしたときと異なって、各バスケットの上部開口を解放させる状態に保つことができる。すなわち、バスケット内に対して効率的に熱気の出入りをさせることができるので、バスケット内に入れられた物品（ボルトやナット等）が加熱不足を原因として品質低下を起こすこともなくなる。
【００１３】
この場合、隣接する棚部相互間を仕切る仕切り壁が上下方向の各棚部に対応して一連に繋がったものとすることで、熱気の通りも良好となる。
【発明の効果】
【００１４】
本発明に係るベーキング装置では、炉本体内での温度ムラの解消を図り、被処理物品に対して高品質且つ均一なベーキング処理が可能になる。また装置としての構造面での大型化及び複雑化が防止され、設置の容易化及び低廉化が可能になっている。更にまた、炉本体に対する被処理物品の搬入及び搬出に関して、時間的ロス及び熱エネルギーの漏洩ロスが防止される。
【発明を実施するための最良の形態】
【００１５】
以下、本発明の実施の形態を、図面に基づき説明する。
図１乃至図７は、本発明に係るベーキング装置１の第１実施形態を示している。この第１実施形態のベーキング装置１は、旋回駆動手段２によって旋回可能とされた旋回棚３を有している。この旋回棚３のまわりは、周方向及び上下方向の全域にわたり炉本体４によって囲まれている。またこの炉本体４には、その内部を加熱するための加熱手段５が設けられている。
この炉本体４には周壁の少なくとも一箇所に被処理物品Ｗを出し入れするための開口部７が設けられており、例えば開口部７の外側正面位置には被処理物品Ｗ用の中継台８が設けられ、被処理物品Ｗは、メッキ処理などの上流側工程から搬入用コンベヤ９Ａによってこの中継台８まで搬入されたり、またこの中継台８から搬出用コンベア９Ｂによってクロム処理などの下流工程へ向け搬出されたりする。
【００１６】
そして炉本体４の開口部７に対応する配置（上記のように中継台８が設けられる場合はこれに並設される配置）で、炉本体４に対して被処理物品Ｗを出し入れする物品受け渡し装置１０が設けられている。
なお「被処理物品Ｗ」とは、本来、ボルトやナットなどの高炭素鋼により製作され、メッキ処理された後の物品（製品にされる物品）のことであるが、以下の説明ではこの物品だけでなく、ベーキング処理のためにこの物品を収納したバスケットをも含んだ全体を指すものとする。
【００１７】
旋回棚３は、旋回軸１５を中心として旋回自在となるように設けられるもので、旋回軸１５のまわりに、その周方向に並んで複数の棚部１６を有している。またこれら各棚部１６は、上下方向に複数段設けられている。図例（図１及び図５参照）では、周方向では８つの棚部１６が設けられ、また上下方向では１０段の棚部１６が設けられ、結果として旋回端３の全体として合計８０の棚部１６が設けられているものとした。
一つ一つの棚部１６は、平面的に見て被処理物品Ｗを完全収容できる大きさで設けられている。また、各棚部１６が上下方向で設けられる間隔は、それぞれの棚部１６に被処理物品Ｗの高さ寸法より高背な物品支承スペースを介したものとなっている。すなわち、棚部１６上に被処理物品Ｗを支承させたときこの被処理物品Ｗの上部とそのすぐ上位となる棚部１６との上下間には多少のゆとり（空間）ができる。そのため各棚部１６に支承された被処理物品Ｗの外形がバスケットとされているとき、このバスケットの上部開口は熱気の出入り可能な解放状態を保つものとなる。
【００１８】
各棚部１６は、被処理物品Ｗを支承した状態にあるときも、この被処理物品Ｗの外面に沿って上下方向の通気を可能とさせる通気性構造となっている。この通気性構造としては例えばパンチングメタルや網によって形成された目皿的なものでもよいが、本実施形態の棚部１６は、図５及び図６から明らかなように棒材を巧みに連結することで、旋回棚３の外周面側を開放させた平面コ字状の枠型に形成されたものを示している。
このため本実施形態の棚部１６は、上下方向の空気の流れに対して、いわゆるスカスカの状態にあり、棚部１６に支承される被処理物品Ｗは、その外面の全周が上下方向の空気の流れに晒されることになる。また被処理物品Ｗの底面も、下から上へ流れる空気の流れに晒されることになる。
【００１９】
なお、棚部１６がその外方側を開放させた平面コ字状を呈しているため、物品受け渡し装置１０において、被処理物品Ｗを棚部１６へ載せたり取り出したりするのにこの被処理物品Ｗの底面中央を下から掬い上げるといった簡潔構造を採用可能となる。
この旋回棚３には更に、周方向で隣接する棚部１６の相互間に対し、それらを仕切る仕切り壁１７が設けられている。この仕切り壁１７は、上下方向に設けられた棚部１６に対応して一連に繋がって設けられている。換言すれば、上下一列の棚部１６に対しその両脇を挟むように仕切り壁１７が設けられていることになる。そのため、相互隣接する棚部１６の相互間での熱気の横流通は阻止されながら、上下方向に設けられた棚部１６の相互間では熱気の通りが良好になる。
【００２０】
炉本体４は、旋回棚３が旋回するとき、旋回棚３と接触干渉することがないという条件のもとで、この旋回棚３のまわりにできる空間を広くさせすぎないように（むしろこの空間を可及的に狭くするように）取り囲んでいる。勿論、炉壁は耐熱性及び保温性の豊富な材料で形成されている。
この炉本体４の内部には、旋回棚３の旋回軸１５が通る高さ位置に中床２０が設けられている。この中底２０には、旋回軸１５の通る部分を逃げるようにして軸通口２１が設けられている。図７に示すように、この軸通口２１は炉本体４に設けられた開口部７へ向けて開放し相互連通するようになった切欠として形成されている。すなわち、中底２０は平面コ字状に形成されている。
【００２１】
中底２０の下部には軸通口２１の開口形状に合わせるように中仕切り壁２３が設けられており、またこの中底２０には、軸通口２１内で旋回軸１５が通る位置を中心とした放射状配置で、スリット状に貫通する複数の熱風噴出部２４が設けられている。これによってこの中底２０の下部に、後述する加熱手段５用の熱気誘導室２５が区画形成されている。これに対し、軸通口２１内には中仕切り壁２３で熱的に遮断された機械室２６が区画形成されており、この機械室２６内には、旋回駆動手段２が収納されるようになっている。
なお、この中底２０の上面では、旋回棚３の下面に設けられたキャスター２７を受けて転動させ、これによって旋回棚３の旋回を安定化させると共に、個々の棚部１６の水平移動状況下での高さの一定化（高精度化）を図るようになっている。
【００２２】
図１から明らかなように炉本体４の開口部７は、上下方向の開口寸法が旋回棚３の高さ寸法よりやや大きめとされ、また図５から明らかなように、幅方向の開口寸法が旋回棚３において周方向で隣接する一組の仕切り壁１７相互間に対応させて形成されている。
そしてこの開口部７の幅方向両側には、その上下方向全部にわたり、遮熱手段３０が設けられている。この遮熱手段３０は、旋回棚３に設けられた仕切り壁１７の壁端との間で熱気を遮断するものである。本実施形態の遮熱手段３０は、開口部７の開口縁部から旋回棚３へ向けてブレード状突起３１を突出させ、仕切り壁１７の壁端とのギャップを微小にさせただけのものとした。
【００２３】
なお、この開口部７には、機械的に開閉するシャッター３２を設けておいてもよい。このシャッター３２は省略することもできる。
旋回駆動手段２は、旋回棚３を旋回自在に保持する旋回基部３６と、旋回棚３に旋回用動力を伝える駆動部３７とを有している。少なくとも旋回基部３６は上記したように炉本体４の機械室２６内に設けられている。駆動部３７はギヤードモータ、電磁ブレーキ付きモータ等であり、間欠回動性（小角度回転と停止とを繰り返し行う動作性）と停止精度に優れたものを採用するのが好適である。これら旋回基部３６と駆動部３７とは、エンドレスチェーンなどの伝動手段３８で連動可能となっている。
【００２４】
加熱手段５は、加熱源４０と、この加熱源４０で発生された熱気を炉本体４内へ誘導する熱気路４１とを有している。本実施形態において加熱源４０はガス又は石油燃焼式のバーナーとした。また熱気路４１は炉本体４と加熱源４０との間で熱気を循環させる構造とし、炉本体４の外部に設けたダクト４３により加熱源４０に附属させたブロワー４２を介して炉本体４の下部内部へ熱気を打ち込み誘導すると共に、炉本体４の上部内部からブロワー４２へと排熱を回収できるようにしている。
従って、加熱源４０で発生される熱気は、炉本体４内をその下方から上方へと縦に送られ、途中、旋回棚３の下位側の棚部１６から上位側の棚部１６へと通過し、各棚部１６に支承された被処理物品Ｗへ吹き付けられることになる。
【００２５】
上記したように、炉本体４には中底２０に対して熱風噴出部２４が放射状配置で設けられ、この中底２０の下部に熱気誘導室２５が設けられている。ダクト４３はこの熱気誘導室２５へ加熱源４０からの熱気を供給することになる。
中底２０は軸通口２１内で開口部７へ連通する機械室２６を形成させているため、当然に、この機械室２６に対応する部分では熱風噴出部２４は設けられておらず、また熱気誘導室２５も及んでいないことになる。従って、旋回棚３が停止しているとき、開口部７に正対している棚部１６（即ち、炉本体４に対して出し入れしようとする被処理物品Ｗを支承した棚部１６）に対して対応する熱風噴出部２４は無く、熱気が供給されないことになる。その他の熱風噴出部２４は、停止した旋回棚３における周方向の各棚部１６（勿論、開口部７に正対している棚部１６を除く）に対応した位置付けになっている。
【００２６】
物品受け渡し装置１０は、炉本体４内においてその開口部７に正対して停止される旋回棚３の棚部１６に対し、それぞれ被処理物品Ｗを出し入れできるものであれば、特にその構成や構造が限定されるものではない。
本実施形態では、一つの被処理物Ｗを出し入れするという動作を上下方向の棚部１６に対して繰り返すタイプとした。そのため、一つの被処理物品Ｗを取り上げたり降ろしたりできるハンドリング部４５と、このハンドリング部４５を旋回棚３の高さ分に相当させて上下動させる昇降機構部４６と、ハンドリング部４５を炉本体４の内外で伸縮させるスライド機構部４７とを有したものとした。上記したように炉本体４では、開口部７に連通するかたちで中底２０の軸通口２１を切欠状にしてあり（図７参照）、また旋回棚３では棚部１６がその外方側を開放させた平面コ字状に形成してある（図５参照）ので、ハンドリング部４５では、被処理物品Ｗをその底面中央の下から掬い上げる構造としてある。
【００２７】
このような構成を具備するベーキング装置１においてその作動状況の一例を挙げる。いま、炉本体４内では旋回棚３が旋回を停止し、これによって上下１列分（１０段）の棚部１６が開口部７に正対して停止しているとする。この開口部７に正対して停止している棚部１６に支承された被処理物品Ｗは、既にベーキング処理の終わったものとする。そしてこの状況でシャッター３２が開かれたとする。
加熱手段５は常に炉本体４内を加熱状態にしているが、開口部７の幅方向両側に設けられた遮熱手段３０（ブレード状突起３１）が旋回棚３において上下一列の棚部１６の両脇を挟むように設けられた仕切り壁１７の壁端との間で熱気を逃げ難くしているため、炉内温度がいたずらに低下することはない。また熱エネルギー的に甚だしい損失が発生することもない。
【００２８】
ここでまず、物品受け渡し装置１０は空の状態で動作を開始し、炉本体４の開口部７から所定の棚部１６へ向けてハンドリング部４５を差し入れ、この棚部１６上で支承された被処理物品Ｗを取り上げて、これを炉本体４内から中継台８へ取り出す。
中継台８上へ取り出された被処理物品Ｗが搬出用コンベア９Ｂへと移載され、代わりにこの中継台８上へ搬入用コンベヤ９Ａによって新たな（ベーキング処理が未処理の）被処理物品Ｗが搬入されると、物品受け渡し装置１０はこの中継台８上の被処理物品Ｗを掬い上げてこれを空状態になった元の棚部１６へ運び入れる。
【００２９】
物品受け渡し装置１０がこの動作を、旋回棚３において設けられた上下の全棚部１６に対して一通り繰り返すと、炉本体４のシャッター３２が閉まり、旋回駆動手段２の作動により、旋回棚３が周方向に並ぶ棚部１６の１ピッチ分に相当する所定角度だけ部分旋回（間欠回動）される。これにより旋回棚３は、次の上下一列分の棚部１６を炉本体４の開口部７に正対して停止させる。これを１サイクル動として、以後、上記の動きが繰り返される。
なお、炉本体４内において、旋回棚３の各棚部１６に支承された被処理物品Ｗは、その上部（バスケットとしての上部開口）が上位の被処理物品Ｗに邪魔されることなく解放されている。そのため、被処理物品Ｗ全体（バスケット内に入れられている製品とされるべき物品）に対して効率的に熱気が供給され、加熱不足を原因とした品質低下を起こすことはない。
【００３０】
ところで、本発明は、上記実施形態に限定されるものではなく、実施の形態に応じて適宜変更可能である。
例えば、炉本体４の開口部７においてその幅方向両側に設ける遮熱手段３０は、炉壁構造自体に設けるブレード状突起３１に代え、図８に示すように、耐熱性及び可撓性を有するブレード５０を取り付けることによって形成することも可能である。このようにすることで、装置コストとして究極のコストダウンが図れる。
更に遮熱手段３０は、図９に示すように、旋回棚３の仕切り壁１７へ向けてノズル端が向くように配管されたエア配管５１を介して、開口部７の幅方向両側と旋回棚３の仕切り壁１７との間にエアーカーテンを発生させるようにしたものでもよい。このようにエアーカーテンを採用するとしても、旋回棚３における仕切り壁１７の壁端が間近になっているので、小型で低圧のものでよいため、結果として構造の簡潔化が図れると共に炉内温度の低下を防止できる。
【図面の簡単な説明】
【００３１】
【図１】図２のＡ−Ａ線拡大断面図である。
【図２】本発明に係るベーキング装置の第１実施形態を示した平面図である。
【図３】図２のＢ−Ｂ線に相当する矢視図である。
【図４】図２のＣ−Ｃ線に相当する矢視図である。
【図５】図１のＤ−Ｄ線に相当する断面図である。
【図６】図１のＥ部拡大図である。
【図７】図１のＦ−Ｆ線に相当する断面図である。
【図８】本発明に係るベーキング装置の第２実施形態（遮熱手段の別例）についてその要部を示した平面図（図５と同じ視角で描いた図）である。
【図９】本発明に係るベーキング装置の第３実施形態（遮熱手段の別例）についてその要部を示した平面図（図５と同じ視角で描いた図）である。
【符号の説明】
【００３２】
１  ベーキング装置
２  旋回駆動手段
３  旋回棚
７  開口部
４  炉本体
５  加熱手段
１０  物品受け渡し装置
１５  旋回軸
１６  棚部
１７  仕切り壁
２４  熱風噴出部
３０  遮熱手段
５０  ブレード
Ｗ  被処理物品
【図１】
2005226879.tif 000003
【図２】
2005226879.tif 000004
【図３】
2005226879.tif 000005
【図４】
2005226879.tif 000006
【図５】
2005226879.tif 000007
【図６】
2005226879.tif 000008
【図７】
2005226879.tif 000009
【図８】
2005226879.tif 000010
【図９】
2005226879.tif 000011